(57)【要約】  スマートフォン７は、はんだ槽３に付与された槽識別情報の読み取りと、容器６に付与されたサンプル識別情報の読み取りとが可能なカメラ７１と、その槽識別情報とサンプル識別情報とをはんだ管理用サーバ装置１へ送信する識別情報取得部７２とを備え、はんだ管理用サーバ装置１は、スマートフォン７から送信された、槽識別情報とサンプル識別情報とを対応付けて記憶するサンプル情報記憶部１７と、容器６に収容されたサンプルの成分分析結果と容器６に付与されたサンプル識別情報とを取得し、サンプル情報記憶部１７に対応付けて記憶させる分析結果取得部１２とを含む。
2018198838.tif 000002
【特許請求の範囲】
【請求項１】
ユーザが操作する端末装置と、
前記端末装置と通信可能なはんだ管理用サーバ装置とを備え、
前記端末装置は、
はんだを溶融するはんだ槽であって、かつ当該はんだ槽を識別する槽識別情報が読み取り可能に付与されたはんだ槽からの前記槽識別情報の読み取りと、はんだのサンプルを収容可能な容器であって、かつ当該サンプルを識別するサンプル識別情報が読み取り可能に付与された容器からの前記サンプル識別情報の読み取りとが可能な読取部と、
前記読取部によって読み取られた、前記槽識別情報と前記サンプル識別情報とを前記はんだ管理用サーバ装置へ送信する識別情報取得部とを備え、
前記はんだ管理用サーバ装置は、
前記端末装置から送信された、前記槽識別情報と前記サンプル識別情報とを対応付けて記憶するサンプル情報記憶部と、
前記容器に収容されたサンプルの成分分析結果と当該容器に付与されたサンプル識別情報とを取得し、その成分分析結果とサンプル識別情報とを対応付けて前記サンプル情報記憶部に記憶させる分析結果取得部とを含むはんだサンプル管理システム。
【請求項２】
前記成分分析結果を報知情報として報知する報知処理部をさらに備える請求項１記載のはんだサンプル管理システム。
【請求項３】
前記はんだ管理用サーバ装置は、前記槽識別情報により識別されるはんだ槽に関するはんだ槽情報を予め記憶するはんだ槽情報記憶部をさらに備える請求項１又は２に記載のはんだサンプル管理システム。
【請求項４】
前記はんだ槽情報は、前記槽識別情報により識別されるはんだ槽の管理者を示す情報を少なくとも含む請求項３記載のはんだサンプル管理システム。
【請求項５】
前記はんだ槽情報は、前記槽識別情報と対応して予め設定されたはんだ成分を示す基準成分情報を含み、
前記はんだサンプル管理システムは、
前記成分分析結果と前記基準成分情報とに基づいて、前記はんだ槽内のはんだ成分を改善するための対応方法を判断する対応方法判断部と、
前記対応方法を報知情報として報知する報知処理部とをさらに備える請求項３又は４に記載のはんだサンプル管理システム。
【請求項６】
前記はんだ槽に取り付け可能であって、前記はんだ管理用サーバ装置と通信可能な表示装置をさらに備え、
前記はんだ槽情報は、前記槽識別情報と対応付けて当該槽識別情報で識別されるはんだ槽に取り付けられる表示装置と通信するための通信アドレスをさらに含み、
前記報知処理部は、前記報知情報を、その報知情報に対応する槽識別情報で識別されるはんだ槽に取り付けられる表示装置の前記通信アドレス宛に送信することによって前記報知を実行する請求項２又は５に記載のはんだサンプル管理システム。
【請求項７】
前記読取部は、さらに、前記ユーザを識別するユーザ識別情報を読み取り可能とされており、
前記識別情報取得部は、さらに、前記読取部によって読み取られたユーザ識別情報を、前記はんだ管理用サーバ装置へ送信し、
前記サンプル情報記憶部は、前記槽識別情報、サンプル識別情報、及びユーザ識別情報を対応付けて記憶する請求項１〜６のいずれか１項に記載のはんだサンプル管理システム。
【請求項８】
前記槽識別情報は、バーコード又は二次元コードによって前記はんだ槽に付与され、
前記サンプル識別情報は、バーコード又は二次元コードによって前記容器に付与される請求項１〜７のいずれか１項に記載のはんだサンプル管理システム。
【請求項９】
はんだを溶融するはんだ槽であって、かつ当該はんだ槽を識別する槽識別情報が読み取り可能に付与されたはんだ槽からの前記槽識別情報の読み取りと、はんだのサンプルを収容可能であって、かつ当該サンプルを識別するサンプル識別情報が読み取り可能に付与された容器からの前記サンプル識別情報の読み取りとが可能な読取部と、前記読取部によって読み取られた、前記槽識別情報と前記サンプル識別情報とを前記はんだ管理用サーバ装置へ送信する識別情報取得部とを備えた端末装置と通信可能なはんだ管理用サーバ装置であって、
前記端末装置から送信された、前記槽識別情報と前記サンプル識別情報とを対応付けて記憶するサンプル情報記憶部と、
前記容器に収容されたサンプルの成分分析結果と当該容器に付与されたサンプル識別情報とを取得し、その成分分析結果とサンプル識別情報とを対応付けて前記サンプル情報記憶部に記憶させる分析結果取得部とを含むはんだ管理用サーバ装置。
【請求項１０】
ユーザが操作する端末装置と、前記端末装置と通信可能であって管理対象のはんだサンプルに関する情報を記憶するためのサンプル情報記憶部を備えたはんだ管理用サーバ装置とを用いてはんだの成分分析結果を管理するはんだサンプル管理方法であって、
はんだを溶融するはんだ槽に、当該はんだ槽を識別する槽識別情報を読み取り可能に付与する槽識別情報付与工程と、
はんだのサンプルを収容可能な容器に、当該サンプルを識別するサンプル識別情報を読み取り可能に付与するサンプル識別情報付与工程と、
前記容器に、前記はんだ槽内のはんだを採取するサンプル採取工程と、
前記端末装置によって、前記槽識別情報と前記サンプル識別情報とを読み取らせる読取工程と、
前記端末装置によって、前記槽識別情報と前記サンプル識別情報とを前記はんだ管理用サーバ装置へ送信させる識別情報送信工程と、
前記はんだ管理用サーバ装置が、前記端末装置によって読み取られた前記槽識別情報と前記サンプル識別情報とを受信し、その槽識別情報とサンプル識別情報とを対応付けて前記サンプル情報記憶部に記憶させるサンプル情報記憶工程と、
前記容器に収容されたサンプルの成分を分析する成分分析工程と、
前記容器に収容されたサンプルの成分分析結果と当該容器に付与されたサンプル識別情報とを対応付けて前記サンプル情報記憶部に記憶させる分析結果記憶工程とを含むはんだサンプル管理方法。
【請求項１１】
ユーザが操作する端末装置と、前記端末装置と通信可能であって管理対象のはんだサンプルに関する情報を記憶するためのサンプル情報記憶部を備えたはんだ管理用サーバ装置とを用いてはんだの成分分析結果を管理するはんだサンプル管理方法であって、
槽識別情報が読み取り可能に付与され、当該槽識別情報により識別されるはんだ槽内のはんだのサンプルが採取された容器であって、当該サンプルを識別するサンプル識別情報が読み取り可能に付与された容器を取得するサンプル容器取得工程と、
前記はんだ管理用サーバ装置が、前記端末装置によって読み取られた前記槽識別情報と前記サンプル識別情報とを受信し、その槽識別情報とサンプル識別情報とを対応付けて前記サンプル情報記憶部に記憶させるサンプル情報記憶工程と、
前記容器取得工程で取得された容器に収容されたサンプルの成分を分析する成分分析工程と、
前記容器に収容されたサンプルの成分分析結果と当該容器に付与されたサンプル識別情報とを対応付けて前記サンプル情報記憶部に記憶させる分析結果記憶工程とを含むはんだサンプル管理方法。
【発明の詳細な説明】
【技術分野】
【０００１】
本発明は、はんだのサンプルを管理するためのはんだサンプル管理システム、はんだ管理用サーバ装置、及びはんだサンプル管理方法に関する。
【背景技術】
【０００２】
従来より、ディップはんだ付装置のはんだ槽から採取した金属サンプルに、監視対象の特定、及び採取時間を含めたロット記号を付与したうえでこれを分析し、この分析データをロット記号と共にホストコンピュータに入力し、溶融温度と前記分析データを予めホストコンピュータに備えた分析プログラムで分析する発明が知られている（例えば、特許文献１参照。）。
【先行技術文献】
【特許文献】
【０００３】
【特許文献１】特開２００９−１６８５６９号公報
【発明の概要】
【０００４】
ところで、金属サンプルの成分分析には、蛍光Ｘ線分析装置等の分析装置が必要となる。このような分析装置は、高価であり、かつ大きな設置スペースを必要とするため、はんだ槽毎に分析装置を設置することは困難である。そのため、はんだ槽から採取したサンプルを、遠方に設置された分析装置まで、送付する必要がある。また、そのサンプルがどこのはんだ槽から採取されたものかを特定する必要があるため、そのはんだ槽が設置されている場所やそのはんだ槽の管理番号等を、作業者が用紙に記入するなどしてサンプルと一緒に分析装置の有るところへ送付する必要があった。
【０００５】
しかしながら、はんだ槽の設置場所や管理番号を用紙に記入するのは手間がかかり、記入しても誤記入や記入漏れ等があるとせっかくサンプルの成分分析を行ってもその分析結果をはんだ槽に正しく反映することができない。
【０００６】
本発明の目的は、はんだ槽から採取されたサンプルと、そのサンプルが採取されたはんだ槽とを容易に対応付けることができ、かつその対応付けを誤るおそれを低減することができるはんだサンプル管理システム、はんだ管理用サーバ装置、及びはんだサンプル管理方法を提供することである。
【０００７】
本発明の一局面に従うはんだサンプル管理システムは、ユーザが操作する端末装置と、前記端末装置と通信可能なはんだ管理用サーバ装置とを備え、前記端末装置は、はんだを溶融するはんだ槽であって、かつ当該はんだ槽を識別する槽識別情報が読み取り可能に付与されたはんだ槽からの前記槽識別情報の読み取りと、はんだのサンプルを収容可能な容器であって、かつ当該サンプルを識別するサンプル識別情報が読み取り可能に付与された容器からの前記サンプル識別情報の読み取りとが可能な読取部と、前記読取部によって読み取られた、前記槽識別情報と前記サンプル識別情報とを前記はんだ管理用サーバ装置へ送信する識別情報取得部とを備え、前記はんだ管理用サーバ装置は、前記端末装置から送信された、前記槽識別情報と前記サンプル識別情報とを対応付けて記憶するサンプル情報記憶部と、前記容器に収容されたサンプルの成分分析結果と当該容器に付与されたサンプル識別情報とを取得し、その成分分析結果とサンプル識別情報とを対応付けて前記サンプル情報記憶部に記憶させる分析結果取得部とを含む。
【０００８】
また、本発明の一局面に従うはんだ管理用サーバ装置は、はんだを溶融するはんだ槽であって、かつ当該はんだ槽を識別する槽識別情報が読み取り可能に付与されたはんだ槽からの前記槽識別情報の読み取りと、はんだのサンプルを収容可能であって、かつ当該サンプルを識別するサンプル識別情報が読み取り可能に付与された容器からの前記サンプル識別情報の読み取りとが可能な読取部と、前記読取部によって読み取られた、前記槽識別情報と前記サンプル識別情報とを前記はんだ管理用サーバ装置へ送信する識別情報取得部とを備えた端末装置と通信可能なはんだ管理用サーバ装置であって、前記端末装置から送信された、前記槽識別情報と前記サンプル識別情報とを対応付けて記憶するサンプル情報記憶部と、前記容器に収容されたサンプルの成分分析結果と当該容器に付与されたサンプル識別情報とを取得し、その成分分析結果とサンプル識別情報とを対応付けて前記サンプル情報記憶部に記憶させる分析結果取得部とを含む。
【０００９】
また、本発明の一局面に従うはんだサンプル管理方法は、ユーザが操作する端末装置と、前記端末装置と通信可能であって管理対象のはんだサンプルに関する情報を記憶するためのサンプル情報記憶部を備えたはんだ管理用サーバ装置とを用いてはんだの成分分析結果を管理するはんだサンプル管理方法であって、はんだを溶融するはんだ槽に、当該はんだ槽を識別する槽識別情報を読み取り可能に付与する槽識別情報付与工程と、はんだのサンプルを収容可能な容器に、当該サンプルを識別するサンプル識別情報を読み取り可能に付与するサンプル識別情報付与工程と、前記容器に、前記はんだ槽内のはんだを採取するサンプル採取工程と、前記端末装置によって、前記槽識別情報と前記サンプル識別情報とを読み取らせる読取工程と、前記端末装置によって、前記槽識別情報と前記サンプル識別情報とを前記はんだ管理用サーバ装置へ送信させる識別情報送信工程と、前記はんだ管理用サーバ装置が、前記端末装置によって読み取られた前記槽識別情報と前記サンプル識別情報とを受信し、その槽識別情報とサンプル識別情報とを対応付けて前記サンプル情報記憶部に記憶させるサンプル情報記憶工程と、前記容器に収容されたサンプルの成分を分析する成分分析工程と、前記容器に収容されたサンプルの成分分析結果と当該容器に付与されたサンプル識別情報とを対応付けて前記サンプル情報記憶部に記憶させる分析結果記憶工程とを含む。
【００１０】
また、本発明の一局面に従うはんだサンプル管理方法は、ユーザが操作する端末装置と、前記端末装置と通信可能であって管理対象のはんだサンプルに関する情報を記憶するためのサンプル情報記憶部を備えたはんだ管理用サーバ装置とを用いてはんだの成分分析結果を管理するはんだサンプル管理方法であって、槽識別情報が読み取り可能に付与され、当該槽識別情報により識別されるはんだ槽内のはんだのサンプルが採取された容器であって、当該サンプルを識別するサンプル識別情報が読み取り可能に付与された容器を取得するサンプル容器取得工程と、前記はんだ管理用サーバ装置が、前記端末装置によって読み取られた前記槽識別情報と前記サンプル識別情報とを受信し、その槽識別情報とサンプル識別情報とを対応付けて前記サンプル情報記憶部に記憶させるサンプル情報記憶工程と、前記容器取得工程で取得された容器に収容されたサンプルの成分を分析する成分分析工程と、前記容器に収容されたサンプルの成分分析結果と当該容器に付与されたサンプル識別情報とを対応付けて前記サンプル情報記憶部に記憶させる分析結果記憶工程とを含む。
【図面の簡単な説明】
【００１１】
【図１】本発明の一実施形態に係るはんだサンプル管理システム、及びはんだサンプル管理方法を大略的に説明するための概念図である。
【図２】本発明の一実施形態に係るはんだサンプル管理システムの電気的構成の一例を示すブロック図である。
【図３】はんだ槽情報の一例を示す表形式の説明図である。
【図４】図２に示すサンプル情報記憶部に記憶された情報の一例を示す表形式の説明図である。
【図５】はんだサンプル管理方法の一例を示すフローチャートである。
【図６】はんだサンプル管理方法の一例を示すフローチャートである。
【発明を実施するための形態】
【００１２】
以下、本発明に係る実施形態を図面に基づいて説明する。なお、各図において同一の符号を付した構成は、同一の構成であることを示し、その説明を省略する。図１は、本発明の一実施形態に係るはんだサンプル管理システム、及びはんだサンプル管理方法を大略的に説明するための概念図である。
【００１３】
図１に示す例では、電子機器の製造を行う工場Ａと、工場Ａで採取されたはんだサンプルの分析を行う分析所Ｂとが、離れて立地している例を示している。分析所Ｂには、はんだ管理用サーバ装置１と、分析装置２とが設置されている。工場Ａと分析所Ｂとは、同じ事業者が運営していてもよく、異なる事業者が運営していてもよい。また、はんだサンプル管理システム１０が、工場Ａと分析所Ｂとに分かれて配置される例に限らない。
【００１４】
工場Ａには、はんだを溶融するためのはんだ槽３が設置されている。はんだ槽３は、いわゆるフローソルダリングを行うためのフローはんだ付け装置等に設けられている。はんだ槽３内に、溶融したはんだ４が貯留されている。図１では、はんだ槽３に基板を搬送する搬送機構やはんだの噴流機構等の記載は省略している。
【００１５】
はんだ槽３の外表面には、はんだ槽３を識別する槽識別情報を示す二次元コードが印刷された槽識別ラベルＬ１が貼付されている。また、はんだ槽３の外表面には、はんだ管理用サーバ装置１と通信可能な表示装置５が取り付けられている。二次元コードとしては、例えばＱＲコード（登録商標）を用いることができる。
【００１６】
容器６は、例えば耐熱紙などで構成されたサンプル採取用のカップ状の容器である。容器６には、容器６に採取されたサンプルを識別するサンプル識別情報を示す二次元コードが印刷されたサンプル識別ラベルＬ２が貼付されている。サンプル識別ラベルＬ２には、二次元コードの他に、分析装置２で分析を行う作業者が読み取れるように、サンプル識別情報が文字で表記されていることが好ましい。
【００１７】
工場Ａで作業するユーザＵは、例えば、ユーザＵを識別するユーザ識別情報を示す二次元コードが印刷された名札Ｌ３を、身に付けている。
【００１８】
図２は、本発明の一実施形態に係るはんだサンプル管理システム１０の電気的構成の一例を示すブロック図である。図２に示すはんだサンプル管理システム１０は、はんだ管理用サーバ装置１、分析装置２、表示装置５、及びスマートフォン７（端末装置）を備えている。はんだ管理用サーバ装置１とスマートフォン７、はんだ管理用サーバ装置１と表示装置５は、それぞれネットワーク８を介して互いに通信可能に構成されている。
【００１９】
ネットワーク８は、例えばインターネット、ＷＡＮ（Wide Area Network）、ＬＡＮ（Local Area Network）、及び移動体通信網等、有線又は無線の種々の通信ネットワーク、あるいはこれらが組み合わせられた通信ネットワークである。
【００２０】
スマートフォン７は、カメラ７１（読取部）と、識別情報取得部７２とを備えている。スマートフォン７は、例えば所定の演算処理を実行するＣＰＵ（Central Processing Unit）、データを一時的に記憶するＲＡＭ（Random Access Memory）、所定の制御プログラム等を記憶するフラッシュメモリ等の不揮発性の記憶部、移動体通信回路やＷｉｆｉ（Wireless Fidelity）等の無線通信回路、タッチ操作可能なタッチスクリーン（タッチパネルディスプレイ）、ＲＴＣ（Real Time Clock）、及びこれらの周辺回路等を備えて構成されている。
【００２１】
そして、スマートフォン７は、記憶部に記憶された制御プログラムを実行することによって、識別情報取得部７２として機能する。スマートフォン７を識別情報取得部７２として機能させるためのプログラムは、例えば、いわゆるアプリとしてネットワーク８を介してスマートフォン７へダウンロード可能とされている。以下、スマートフォン７を識別情報取得部７２として機能させるためのプログラムを、コード読取アプリと称する。
【００２２】
カメラ７１は、例えばＣＭＯＳ（Complementary Metal Oxide Semiconductor）やＣＣＤ（Charge Coupled Device）等の撮像素子を用いて構成されている。ユーザＵは、はんだ槽３内の溶融はんだ４を容器６に収容し、スマートフォン７を操作してコード読取アプリを起動し、はんだ槽３に付与された槽識別ラベルＬ１と容器６に付与されたサンプル識別ラベルＬ２とユーザＵの名札Ｌ３とをカメラ７１によって撮像させた後、例えば識別情報の取得操作が終了した旨を示す撮影終了ボタンをタッチする。撮影終了ボタンは、例えばコード読取アプリによってタッチスクリーンに表示されるようになっている。
【００２３】
識別情報取得部７２は、撮影終了ボタンがタッチされると、カメラ７１によって撮像された、槽識別ラベルＬ１、サンプル識別ラベルＬ２、及び名札Ｌ３の画像からそれぞれ二次元コードを抽出する。そして、識別情報取得部７２は、抽出された二次元コードをデコードして、槽識別情報、サンプル識別情報、及びユーザ識別情報を取得し、これらの識別情報を対応付けて、ＲＴＣで得られた現在日時を示す日時情報と共にネットワーク８を介してはんだ管理用サーバ装置１へ送信する。
【００２４】
なお、識別情報取得部７２は、必ずしも二次元コードをデコードしなくてもよい。識別情報取得部７２は、読み取られた二次元コードをそのまま槽識別情報、サンプル識別情報、及びユーザ識別情報としてはんだ管理用サーバ装置１へ送信し、はんだ管理用サーバ装置１で二次元コードをデコードしてもよい。
【００２５】
また、槽識別情報、サンプル識別情報、及びユーザ識別情報は、二次元コードで表示される例に限らない。槽識別ラベルＬ１、サンプル識別ラベルＬ２、及び名札Ｌ３には、槽識別情報、サンプル識別情報、及びユーザ識別情報は、バーコードで表示されていてもよく、文字で表示されていてもよい。文字で表示されていた場合、識別情報取得部７２は、ＯＣＲ（Optical Character Recognition/Reader）によって、槽識別ラベルＬ１、サンプル識別ラベルＬ２、及び名札Ｌ３の画像から、槽識別情報、サンプル識別情報、及びユーザ識別情報を読み取る構成としてもよい。また、ラベルを用いずに直接識別情報を表示してもよい。
【００２６】
また、二次元コード、バーコード、及び文字等により槽識別情報、サンプル識別情報、及びユーザ識別情報を表示する例に限らない。例えば、いわゆるＩＤタグを用いて槽識別情報、サンプル識別情報、及びユーザ識別情報を、はんだ槽３、容器６、及びユーザＵに付与し、端末装置にＩＤタグの読取装置を備えてもよい。また、はんだ槽３、容器６、及びユーザＵへの槽識別情報、サンプル識別情報、及びユーザ識別情報の付与方法は、互いに異なっていてもよい。
【００２７】
しかしながら、槽識別情報、サンプル識別情報、及びユーザ識別情報を、二次元コード又はバーコードで表示する構成とすれば、識別情報取得部７２による各識別情報の取得処理が容易であり、かつＩＤタグよりも安価である。
【００２８】
分析装置２は、容器６に採取されたはんだサンプルの成分を分析する分析装置である。分析装置２としては、例えば蛍光Ｘ線分析装置等を用いることができる。分析装置２は、はんだサンプルの成分を分析し、その成分分析結果を示す情報を生成する。成分分析結果は、例えば、サンプルに含まれるＳｎ（錫）、Ｃｕ（銅）、Ｎｉ（ニッケル）、Ｇｅ（ゲルマニウム）、Ｐｂ（鉛）等、はんだサンプルに含まれる成分の含有比率を示す情報である。
【００２９】
分析装置２で分析を行う際に、作業者は、例えば容器６のサンプル識別ラベルＬ２に文字で記載されたサンプル識別情報を読み取って、図略のキーボードを用いてそのサンプル識別情報を分析装置２に入力する。あるいは、二次元コードやバーコード等の図略の読取装置を用いてサンプル識別ラベルＬ２からサンプル識別情報を読み取って、分析装置２に入力するようにしてもよい。これにより、分析装置２によるはんだサンプルの成分分析結果とサンプル識別情報とを対応付けることができる。
【００３０】
分析装置２は、例えばＬＡＮ等のネットワークを介してはんだ管理用サーバ装置１と通信可能に接続されている。分析装置２は、成分分析結果とサンプル識別情報とを対応付けてネットワークを介してはんだ管理用サーバ装置１へ送信する。なお、分析装置２は、成分分析結果とサンプル識別情報とを対応付けた情報を、メモリカード等の記憶媒体に記憶し、その記憶媒体をはんだ管理用サーバ装置１で読み取ることで、はんだ管理用サーバ装置１が、サンプル識別情報と対応付けられた成分分析結果を取得する構成であってもよい。
【００３１】
はんだ管理用サーバ装置１は、例えば所定の演算処理を実行するＣＰＵ、データを一時的に記憶するＲＡＭ、所定の制御プログラム等を記憶するＨＤＤ（Hard Disk Drive）やＳＳＤ（Solid State Drive）等の不揮発性の記憶装置、ネットワーク８にアクセス可能な通信インターフェイス回路、キーボード、マウス、ディスプレイ、及びこれらの周辺回路等を備えて構成されている。
【００３２】
はんだ管理用サーバ装置１は、記憶装置に記憶された制御プログラムを実行することによって、記憶処理部１１、分析結果取得部１２、対応方法判断部１３、及び報知処理部１４として機能する。また、記憶装置は、はんだ槽情報記憶部１６及びサンプル情報記憶部１７として用いられる。
【００３３】
はんだ槽情報記憶部１６には、槽識別情報により識別されるはんだ槽に関するはんだ槽情報が予め記憶されている。図３は、はんだ槽情報Ｄ１の一例を示す表形式の説明図である。図３に示すはんだ槽情報Ｄ１では、槽識別情報と対応付けて、その槽識別情報により識別されるはんだ槽の管理者である会社の会社名と、そのはんだ槽が設置されている工場名及び製造ラインのライン名称と、そのはんだ槽に取り付けられた表示装置５の通信アドレスと、成分分析結果を判断するための基準となる基準成分情報とが対応付けられている。
【００３４】
基準成分情報は、対応するはんだ槽で用いられているはんだの、適切な各成分の含有比率を示す情報である。
【００３５】
記憶処理部１１は、スマートフォン７から送信された、槽識別情報、サンプル識別情報、ユーザ識別情報、及び日時情報を受信し、これらの情報を対応付けてサンプル情報記憶部１７に記憶させる。図４は、サンプル情報記憶部１７に記憶された情報の一例を示す表形式の説明図である。図４に示すように、記憶処理部１１には、スマートフォン７から送信された槽識別情報、サンプル識別情報、ユーザ識別情報、及び日時情報が、対応付けられて記憶されている。
【００３６】
分析結果取得部１２は、サンプル識別情報と対応付けられた成分分析結果を、分析装置２から受信したり、あるいは成分分析結果が記憶された記憶媒体から読み取ったりすることによって、容器６に収容されたサンプルの成分分析結果と当該容器６に付与されたサンプル識別情報とを対応付けて取得する。そして、分析結果取得部１２は、図４に示すように、サンプル情報記憶部１７に、サンプル識別情報と対応付けてその成分分析結果を記憶させる。
【００３７】
対応方法判断部１３は、成分分析結果と基準成分情報とに基づいて、対応するはんだ槽内のはんだ成分を改善するための対応方法を判断する。報知処理部１４は、成分分析結果、又は対応方法を報知情報として報知する。
【００３８】
次に、上述のように構成されたはんだサンプル管理システム１０を用いたはんだサンプル管理方法について説明する。図５、図６は、はんだサンプル管理方法の一例を示すフローチャートである。以下の各ステップの実行順序も一例であって、下記の順序に限らない。
【００３９】
まず、ユーザＵは、はんだ槽３に槽識別ラベルＬ１を貼付し、はんだ槽３に槽識別情報を付与する（ステップＳ１：槽識別情報付与工程）。
【００４０】
次に、分析所Ｂの作業者が、はんだ管理用サーバ装置１を操作して、槽識別ラベルＬ１の槽識別情報と対応するはんだ槽情報を、はんだ槽情報記憶部１６に記憶させる（ステップＳ２：槽情報記憶工程）。
【００４１】
次に、分析所Ｂの作業者が、サンプル識別ラベルＬ２を容器６に貼付してユーザＵに配布する（ステップＳ３： サンプル識別情報付与工程）。例えば分析所Ｂの作業者が、互いに異なるサンプル識別情報が印字されたサンプル識別ラベルＬ２を複数の容器６に貼付し、それら複数の容器６を予めユーザＵに配布しておくとよい。
【００４２】
次に、ユーザＵが、成分分析しようとするはんだ槽３内のはんだ４を容器６に採取する（ステップＳ４：サンプル採取工程）。次に、ユーザＵが、スマートフォン７のコード読取アプリを起動し、槽識別ラベルＬ１、サンプル識別ラベルＬ２、及び名札Ｌ３を撮像し、槽識別情報、サンプル識別情報、及びユーザ識別情報の読み取りを実行する（ステップＳ５：読取工程）。
【００４３】
次に、ユーザＵが、スマートフォン７のタッチスクリーンに表示された撮影終了ボタンをタッチすると、識別情報取得部７２によって、槽識別ラベルＬ１、サンプル識別ラベルＬ２、及び名札Ｌ３の画像から抽出された二次元コードがデコードされ、槽識別情報、サンプル識別情報、及びユーザ識別情報が取得され、これらの識別情報が対応付けられて、ＲＴＣで得られた現在日時を示す日時情報と共にネットワーク８を介してはんだ管理用サーバ装置１へ送信される（ステップＳ６：識別情報送信工程）。
【００４４】
一方、はんだ管理用サーバ装置１は、スマートフォン７から、槽識別情報、サンプル識別情報、ユーザ識別情報、及び日時情報を受信し、これらを対応付けてサンプル情報記憶部１７に記憶させる（ステップＳ７：サンプル情報記憶工程）。
【００４５】
また、ユーザＵは、はんだサンプルの入った容器６を、例えば郵送するなどして分析所Ｂへ送付する（ステップＳ８）。
【００４６】
分析所Ｂでは、送付されてきたはんだサンプル入りの容器６を受け取って（ステップＳ１１：サンプル容器取得工程）、分析装置２を用いて容器６に収容されたはんだサンプルの成分を分析する（ステップＳ１２：成分分析工程）。このとき、作業者は、容器６のサンプル識別ラベルＬ２に記載されたサンプル識別情報を読み取って分析装置２に入力する。分析装置２は、成分分析結果とサンプル識別情報とを対応付けて、はんだ管理用サーバ装置１へ送信する。
【００４７】
成分分析結果と容器６に付与されたサンプル識別情報とを受信したはんだ管理用サーバ装置１は、その成分分析結果とサンプル識別情報とを対応付けてサンプル情報記憶部１７に記憶する（Ｓ１３：分析結果記憶工程）。
【００４８】
これにより、サンプル情報記憶部１７には、図４に示すように、検査対象のはんだ槽３を識別する槽識別情報と、サンプルを特定するサンプル識別情報と、サンプルを採取したユーザＵのユーザ識別情報と、そのサンプルの成分分析結果とが対応付けられて記憶されるので、はんだサンプルの成分分析結果を適切に管理することが可能となる。また、はんだ槽情報記憶部１６には、槽識別情報と対応付けて、はんだ槽３の管理者である会社名や設置場所等を示すはんだ槽情報Ｄ１が予め記憶されているので、サンプル情報記憶部１７とはんだ槽情報Ｄ１とを参照することで、槽識別情報に基づいて、はんだ槽３のはんだ成分の分析結果と、そのはんだ槽３の管理者やそのはんだ槽３が何処に設置されているかとを、容易に知ることができる。
【００４９】
また、ユーザＵは、はんだサンプルを取得する際に、はんだ槽が設置されている場所やそのはんだ槽の管理番号等を、用紙に記入するなどする必要がなく、スマートフォン７で槽識別ラベルＬ１、サンプル識別ラベルＬ２、及び名札Ｌ３を撮像するだけでよいので、はんだ槽から採取されたサンプルと、そのサンプルが採取されたはんだ槽とを対応付ける作業が容易となる。また、ユーザＵによる誤記や記入漏れが防止されるので、サンプルとそのサンプルが採取されたはんだ槽との対応付けを誤るおそれが低減される。
【００５０】
次に、対応方法判断部１３は、サンプル情報記憶部１７に記憶された成分分析結果と、はんだ槽情報記憶部１６に記憶されたはんだ槽情報Ｄ１に含まれる基準成分情報とに基づいて、対応するはんだ槽内のはんだ成分を改善するための対応方法を判断する（Ｓ１４：対応方法判断工程）。
【００５１】
具体的には、対応方法判断部１３は、成分分析結果で示される各成分の含有比率と、基準成分情報で示される各成分の含有比率とを比較し、すべての成分について、基準成分情報で示される含有比率との差が、成分毎に予め設定された判定基準以下の場合、例えば３０％以下の場合、適正であると判定する。一方、対応方法判断部１３は、成分分析結果で示される成分の含有比率と基準成分情報で示される含有比率との差が、判定基準を超える成分があった場合、不適正と判定する。
【００５２】
さらに、不適正と判定された場合、対応方法判断部１３は、差が判定基準を超えた成分について、はんだ槽３内のはんだ成分を改善するための対応方法を判断する。具体的には、差が判定基準を超えて過剰な成分があった場合、その成分を除いた他の成分をはんだ槽３に投入する方法がある。例えば、基準成分情報で示される成分がＳｎ（錫）、Ｃｕ（銅）、Ｎｉ（ニッケル）であり、過剰な成分がＣｕ（銅）の場合、Ｓｎ（錫）とＮｉ（ニッケル）をはんだ槽３に投入することによってはんだ槽３内のはんだ成分を改善できる。
【００５３】
あるいは、はんだに含まれる各成分の融点の差に基づいて、過剰な成分を取り除く方法がある。例えば、過剰な成分がＣｕ（銅）の場合、Ｃｕ（銅）の融点は他の成分より高いので、溶融はんだの温度をゆっくり低下させるとＣｕ（銅）が析出する。析出したＣｕ（銅）を取り除くことによって、はんだ槽３内のはんだ成分を改善できる。
【００５４】
不適正となった場合のこのような改善方法を、成分毎に予めはんだ管理用サーバ装置１の記憶装置に記憶しておくことによって、対応方法判断部１３は、差が判定基準を超えた成分について、はんだ槽３内のはんだ成分を改善するための対応方法を判断することが可能となる。
【００５５】
次に、報知処理部１４は、はんだ槽情報記憶部１６を参照し、はんだ槽情報Ｄ１によって、対象の槽識別情報と対応付けられている通信アドレスを取得する。そして、報知処理部１４は、サンプル情報記憶部１７を参照し、対象の槽識別情報と対応付けられている分析結果と、適正か不適正かの判断結果と、はんだ成分を改善するための対応方法とを示す報知情報を、この通信アドレス宛に送信する。これにより、対象のはんだ槽３に取り付けられた表示装置５によって、そのはんだ槽３内の溶融はんだの成分分析結果と、適正か不適正かの判断結果と、はんだ成分を改善するための対応方法とが表示される（ステップＳ１５：報知処理工程）。
【００５６】
なお、表示装置５を備えず、報知処理部１４は、はんだ管理用サーバ装置１のディスプレイ装置に報知情報を表示させたり、プリンターで報知情報を印刷したりしてもよい。このような場合であっても、サンプル情報記憶部１７にはユーザ識別情報がサンプル識別情報と対応付けて記憶されているので、分析所Ｂの作業者は、そのユーザ識別情報で示されるユーザＵに対して報知情報を知らせることができる。
【００５７】
ステップＳ１〜Ｓ１５の工程により、ユーザＵは、はんだサンプルを容器６に採取して分析所Ｂへ送付し、スマートフォン７で槽識別ラベルＬ１、サンプル識別ラベルＬ２、及び名札Ｌ３を撮像するだけで、そのはんだ槽３内のはんだ４の成分分析結果、適正か不適正かの判断結果、及びはんだ成分を改善するための対応方法を知ることができるので、ユーザＵの利便性が向上する。
【００５８】
なお、サンプル情報記憶部１７には、必ずしもユーザ識別情報を記憶する必要はなく、ステップＳ５において、名札Ｌ３からユーザ識別情報を読み取らなくてもよい。また、はんだサンプル管理方法は、分析所Ｂで実施される方法であってもよく、ステップＳ１，Ｓ５，Ｓ６，Ｓ８を含んでいなくてもよい。また、はんだ管理用サーバ装置１は、必ずしも成分分析結果の判断を行う必要はなく、対応方法判断部１３を備えず、ステップＳ１４を実行しなくてもよい。また、はんだ管理用サーバ装置１は、報知処理部１４を備えず、ステップＳ１５を実行しなくてもよい。
【００５９】
すなわち、本発明の一局面に従うはんだサンプル管理システムは、ユーザが操作する端末装置と、前記端末装置と通信可能なはんだ管理用サーバ装置とを備え、前記端末装置は、はんだを溶融するはんだ槽であって、かつ当該はんだ槽を識別する槽識別情報が読み取り可能に付与されたはんだ槽からの前記槽識別情報の読み取りと、はんだのサンプルを収容可能な容器であって、かつ当該サンプルを識別するサンプル識別情報が読み取り可能に付与された容器からの前記サンプル識別情報の読み取りとが可能な読取部と、前記読取部によって読み取られた、前記槽識別情報と前記サンプル識別情報とを前記はんだ管理用サーバ装置へ送信する識別情報取得部とを備え、前記はんだ管理用サーバ装置は、前記端末装置から送信された、前記槽識別情報と前記サンプル識別情報とを対応付けて記憶するサンプル情報記憶部と、前記容器に収容されたサンプルの成分分析結果と当該容器に付与されたサンプル識別情報とを取得し、その成分分析結果とサンプル識別情報とを対応付けて前記サンプル情報記憶部に記憶させる分析結果取得部とを含む。
【００６０】
また、本発明の一局面に従うはんだ管理用サーバ装置は、はんだを溶融するはんだ槽であって、かつ当該はんだ槽を識別する槽識別情報が読み取り可能に付与されたはんだ槽からの前記槽識別情報の読み取りと、はんだのサンプルを収容可能であって、かつ当該サンプルを識別するサンプル識別情報が読み取り可能に付与された容器からの前記サンプル識別情報の読み取りとが可能な読取部と、前記読取部によって読み取られた、前記槽識別情報と前記サンプル識別情報とを前記はんだ管理用サーバ装置へ送信する識別情報取得部とを備えた端末装置と通信可能なはんだ管理用サーバ装置であって、前記端末装置から送信された、前記槽識別情報と前記サンプル識別情報とを対応付けて記憶するサンプル情報記憶部と、前記容器に収容されたサンプルの成分分析結果と当該容器に付与されたサンプル識別情報とを取得し、その成分分析結果とサンプル識別情報とを対応付けて前記サンプル情報記憶部に記憶させる分析結果取得部とを含む。
【００６１】
また、本発明の一局面に従うはんだサンプル管理方法は、ユーザが操作する端末装置と、前記端末装置と通信可能であって管理対象のはんだサンプルに関する情報を記憶するためのサンプル情報記憶部を備えたはんだ管理用サーバ装置とを用いてはんだの成分分析結果を管理するはんだサンプル管理方法であって、はんだを溶融するはんだ槽に、当該はんだ槽を識別する槽識別情報を読み取り可能に付与する槽識別情報付与工程と、はんだのサンプルを収容可能な容器に、当該サンプルを識別するサンプル識別情報を読み取り可能に付与するサンプル識別情報付与工程と、前記容器に、前記はんだ槽内のはんだを採取するサンプル採取工程と、前記端末装置によって、前記槽識別情報と前記サンプル識別情報とを読み取らせる読取工程と、前記端末装置によって、前記槽識別情報と前記サンプル識別情報とを前記はんだ管理用サーバ装置へ送信させる識別情報送信工程と、前記はんだ管理用サーバ装置が、前記端末装置によって読み取られた前記槽識別情報と前記サンプル識別情報とを受信し、その槽識別情報とサンプル識別情報とを対応付けて前記サンプル情報記憶部に記憶させるサンプル情報記憶工程と、前記容器に収容されたサンプルの成分を分析する成分分析工程と、前記容器に収容されたサンプルの成分分析結果と当該容器に付与されたサンプル識別情報とを対応付けて前記サンプル情報記憶部に記憶させる分析結果記憶工程とを含む。
【００６２】
また、本発明の一局面に従うはんだサンプル管理方法は、ユーザが操作する端末装置と、前記端末装置と通信可能であって管理対象のはんだサンプルに関する情報を記憶するためのサンプル情報記憶部を備えたはんだ管理用サーバ装置とを用いてはんだの成分分析結果を管理するはんだサンプル管理方法であって、槽識別情報が読み取り可能に付与され、当該槽識別情報により識別されるはんだ槽内のはんだのサンプルが採取された容器であって、当該サンプルを識別するサンプル識別情報が読み取り可能に付与された容器を取得するサンプル容器取得工程と、前記はんだ管理用サーバ装置が、前記端末装置によって読み取られた前記槽識別情報と前記サンプル識別情報とを受信し、その槽識別情報とサンプル識別情報とを対応付けて前記サンプル情報記憶部に記憶させるサンプル情報記憶工程と、前記容器取得工程で取得された容器に収容されたサンプルの成分を分析する成分分析工程と、前記容器に収容されたサンプルの成分分析結果と当該容器に付与されたサンプル識別情報とを対応付けて前記サンプル情報記憶部に記憶させる分析結果記憶工程とを含む。
【００６３】
これらの構成によれば、ユーザが、容器にはんだサンプルを採取し、端末装置を用いて、はんだ槽の槽識別情報と容器に付与されたサンプル識別情報とを読み取るだけで、槽識別情報とサンプル識別情報とサンプルの成分分析結果とを対応付けてサンプル情報記憶部に記憶させることができる。すなわち、容器にはんだサンプルを採取し、端末装置を用いて、はんだ槽の槽識別情報と容器に付与されたサンプル識別情報とを読み取るだけで、はんだ槽から採取されたサンプルと、そのサンプルが採取されたはんだ槽とを容易に対応付けることができ、かつこれらの情報を手作業で記入する必要がないから、その対応付けを誤るおそれを低減することができる。
【００６４】
また、前記成分分析結果を報知情報として報知する報知処理部をさらに備えることが好ましい。
【００６５】
この構成によれば、報知処理部によって成分分析結果が報知されるから、成分分析結果を知るためにサンプル情報記憶部を参照する手間が省ける。
【００６６】
また、前記はんだ管理用サーバ装置は、前記槽識別情報により識別されるはんだ槽に関するはんだ槽情報を予め記憶するはんだ槽情報記憶部をさらに備えることが好ましい。
【００６７】
この構成によれば、はんだ槽情報に基づいて、サンプル情報記憶部に記憶された情報に対してはんだ槽に関するさらに詳しい情報を対応付けることが容易である。
【００６８】
また、前記はんだ槽情報は、前記槽識別情報により識別されるはんだ槽の管理者を示す情報を少なくとも含むことが好ましい。
【００６９】
この構成によれば、槽識別情報により識別されるはんだ槽の管理者を示す情報を少なくとも含むはんだ槽情報が、はんだ管理用サーバ装置に予め記憶されているので、サンプル情報記憶部に記憶された情報と、はんだ槽情報とに基づいて、成分分析結果を適切な管理者に連絡することが容易となる。
【００７０】
また、前記はんだ槽情報は、前記槽識別情報と対応して予め設定されたはんだ成分を示す基準成分情報を含み、前記はんだサンプル管理システムは、前記成分分析結果と前記基準成分情報とに基づいて、前記はんだ槽内のはんだ成分を改善するための対応方法を判断する対応方法判断部と、前記対応方法を報知情報として報知する報知処理部とをさらに備えることが好ましい。
【００７１】
この構成によれば、はんだ槽内のはんだ成分を改善するための対応方法が報知されるので、ユーザが、はんだ槽内のはんだ成分を改善することが容易となる。
【００７２】
また、前記はんだ槽に取り付け可能であって、前記はんだ管理用サーバ装置と通信可能な表示装置をさらに備え、前記はんだ槽情報は、前記槽識別情報と対応付けて当該槽識別情報で識別されるはんだ槽に取り付けられる表示装置と通信するための通信アドレスをさらに含み、前記報知処理部は、前記報知情報を、その報知情報に対応する槽識別情報で識別されるはんだ槽に取り付けられる表示装置の前記通信アドレス宛に送信することによって前記報知を実行することが好ましい。
【００７３】
この構成によれば、はんだ槽に取り付けられた表示装置によって、成分分析結果又ははんだ成分を改善するための対応方法を表示させることができるので、ユーザの利便性が向上する。
【００７４】
また、前記読取部は、さらに、前記ユーザを識別するユーザ識別情報を読み取り可能とされており、前記識別情報取得部は、さらに、前記読取部によって読み取られたユーザ識別情報を、前記はんだ管理用サーバ装置へ送信し、前記サンプル情報記憶部は、前記槽識別情報、サンプル識別情報、及びユーザ識別情報を対応付けて記憶することが好ましい。
【００７５】
この構成によれば、槽識別情報及びサンプル識別情報に対して、ユーザを識別するユーザ識別情報が対応付けられる。従って、成分分析結果又ははんだ成分を改善するための対応方法を、適切なユーザに知らせることが容易となる。
【００７６】
また、前記槽識別情報は、バーコード又は二次元コードによって前記はんだ槽に付与され、前記サンプル識別情報は、バーコード又は二次元コードによって前記容器に付与されることが好ましい。
【００７７】
槽識別情報及びサンプル識別情報を、バーコード又は二次元コードによって表示すれば、端末装置によって読み取ることが容易となる。
【００７８】
このような構成のはんだサンプル管理システム、はんだ管理用サーバ装置、及びはんだサンプル管理方法によれば、はんだ槽から採取されたサンプルと、そのサンプルが採取されたはんだ槽とを容易に対応付けることができ、かつその対応付けを誤るおそれを低減することができる。
この出願は、２０１７年４月２８日に出願された日本国特許出願特願２０１７−８９６５４を基礎とするものであり、その内容は、本願に含まれるものである。なお、発明を実施するための形態の項においてなされた具体的な実施態様又は実施例は、あくまでも、本発明の技術内容を明らかにするものであって、本発明は、そのような具体例にのみ限定して狭義に解釈されるべきものではない。
【符号の説明】
【００７９】
１    管理用サーバ装置
２    分析装置
３    はんだ槽
４    はんだ
５    表示装置
６    容器
７    スマートフォン（端末装置）
８    ネットワーク
１０  はんだサンプル管理システム
１１  記憶処理部
１２  分析結果取得部
１３  対応方法判断部
１４  報知処理部
１６  はんだ槽情報記憶部
１７  サンプル情報記憶部
７１  カメラ（読取部）
７２  識別情報取得部
Ａ    工場
Ｂ    分析所
Ｄ１  はんだ槽情報
Ｌ１  槽識別ラベル
Ｌ２  サンプル識別ラベル
Ｌ３  名札
Ｕ    ユーザ
【図１】
2018198838.tif 000003
【図２】
2018198838.tif 000004
【図３】
2018198838.tif 000005
【図４】
2018198838.tif 000006
【図５】
2018198838.tif 000007
【図６】
2018198838.tif 000008
【国際調査報告】
2018198838.tif 000009
2018198838.tif 000010